(57)【要約】【課題】告知放送が録音されていることをより確実にユーザに伝達することができる、告知放送用受信機を提供すること。【解決手段】告知放送用受信機３は、告知放送信号及びラジオ放送信号を受信する受信部３０と、受信部３０が受信した告知放送信号に含まれる音声情報を格納する音声情報格納部３９と、音声情報格納部３９における音声情報の格納状態、又は受信部３０におけるラジオ放送信号の受信状態を表示する状態表示部３７ｄと、音声を出力するスピーカ３６と、音声情報格納部３９における音声情報の格納状態に関する表示を行うべき所定状態となった時、状態表示部３７ｄの表示を当該格納状態に関する表示に切り替える制御部３８とを備える。【選択図】図１
2010258853.tif 000002
【特許請求の範囲】
【請求項１】
告知放送信号及びラジオ放送信号を受信する受信手段と、
前記受信手段が受信した告知放送信号に含まれる音声情報を格納する音声情報格納手段と、
前記音声情報格納手段における音声情報の格納状態、又は前記受信手段における前記ラジオ放送信号の受信状態を表示する表示手段と、
音声を出力する出力手段と、
前記音声情報格納手段における音声情報の格納状態に関する表示を行うべき所定状態となった時、前記表示手段の表示を当該格納状態に関する表示に切り替える制御手段と、
を備える告知放送受信機。
【請求項２】
前記制御手段は、
前記受信手段における前記ラジオ放送信号の受信状態を前記表示手段を介して表示中に前記受信手段が前記告知放送信号を受信した場合に、前記表示手段の表示を、前記受信手段における前記ラジオ放送信号の受信状態を示す表示から前記音声情報格納手段における音声情報の格納状態を示す表示に切り替える、
請求項１に記載の告知放送受信機。
【請求項３】
前記音声情報格納手段に格納された音声情報の出力に関する操作入力を受け付ける第１操作手段を備え、
前記制御手段は、
前記受信手段における前記ラジオ放送信号の受信状態を前記表示手段を介して表示中に前記第１操作手段にて前記音声情報格納手段に格納された音声情報の出力指示を受け付けた場合に、前記表示手段の表示を、前記受信手段における前記ラジオ放送信号の受信状態を示す表示から前記音声情報格納手段における音声情報の格納状態を示す表示に切り替える、
請求項１又は２に記載の告知放送受信機。
【請求項４】
前記第１操作手段の近傍に設置された発光手段と、
前記ラジオ放送信号に含まれる音声情報の出力に関する操作入力を受け付ける第２操作手段と、を備え、
前記制御手段は、
前記音声情報格納手段に音声情報が格納されている場合であって、前記第２操作手段にて前記ラジオ放送信号に含まれる音声情報の前記出力手段による出力の停止指示が受け付けられた場合に、前記発光手段を点滅させる、
請求項３に記載の告知放送受信機。
【請求項５】
前記ラジオ放送信号に含まれる音声情報の出力に関する操作入力を受け付ける第２操作手段を備え、
前記第２操作手段は、
前記ラジオ放送信号に含まれる音声情報の出力に関する操作入力を、押下動作に基づいて受け付け、
前記制御手段は、
前記受信手段にて受信した前記ラジオ放送信号に含まれる音声情報を前記出力手段を介して出力中に前記第２操作手段が所定時間以上押下された場合に、前記ラジオ放送信号に含まれる音声情報の前記出力手段による出力を停止させる、
請求項１から４のいずれか一項に記載の告知放送受信機。
【請求項６】
前記第２操作手段にて前記ラジオ放送信号に含まれる音声情報の前記出力手段による出力の停止指示を受け付けた際に、前記受信手段における前記ラジオ放送信号の受信状態を記録する記録手段を備え、
前記制御手段は、
前記第２操作手段にて前記ラジオ放送信号に含まれる音声情報の出力指示を受け付けた場合に、前記記録手段に記録されている受信状態で前記受信手段に前記ラジオ放送信号を受信させると共に、当該受信状態を前記表示手段に表示させる、
請求項５に記載の告知放送受信機。
【発明の詳細な説明】
【技術分野】
【０００１】
本発明は、告知放送を受信する告知放送受信機に関する。
【背景技術】
【０００２】
センターから複数の住戸に対して各種の告知放送を行うための告知放送システムが普及している。この告知放送システムは、概略的に、センター側に配置したセンター装置と、各住戸内に設置した受信機とを、ＣＡＴＶ等の伝送線路を介して相互に接続して構成されている。そして、地域のイベント開催又はＦＭラジオ放送等の一般放送や、火災や地震が発生した時の緊急放送を行う際、センター装置は告知放送信号を伝送線路を介して送信し、この告知放送信号を受信機が受信して、告知放送をスピーカにて音声出力する（例えば、特許文献１参照）。
【０００３】
この告知放送システムにおける受信機は、センタ装置から伝送された音声信号を録音する音声合成ユニットを備えると共に、当該音声合成ユニットによる告知放送の録音状態を知らせるための告知ランプを備えていた。例えば、告知放送の受信録音が終了すると、この告知ランプを点滅状態に切り替えて、音声合成ユニットに告知放送が録音されていることを端末利用者に知らせていた。
【先行技術文献】
【特許文献】
【０００４】
【特許文献１】特開平９−８７５３号公報（段落００１４、００１５）
【発明の概要】
【発明が解決しようとする課題】
【０００５】
しかしながら、上述の如き従来の告知放送システムにおける受信機では、告知ランプが点滅していることにユーザが気が付かない限り、音声合成ユニットに告知放送が録音されていることをユーザに知らせることができなかった。従って、例えばユーザの注意が受信機に向いていない場合等、告知放送が録音されていることにユーザが気が付かない可能性があった。また、従来の受信機は、音声合成ユニットに告知放送が録音されているか否かを告知ランプによって通知することはできるものの、さらに詳細な録音状態をユーザに知らせることはできなかった。
【０００６】
本発明は、上記に鑑みてなされたものであって、告知放送が録音されていることをより確実にユーザに伝達することができる、告知放送用受信機を提供することを目的とする。
【課題を解決するための手段】
【０００７】
上述した課題を解決し、目的を達成するために、請求項１に記載の告知放送用受信機は、告知放送信号及びラジオ放送信号を受信する受信手段と、前記受信手段が受信した告知放送信号に含まれる音声情報を格納する音声情報格納手段と、前記音声情報格納手段における音声情報の格納状態、又は前記受信手段における前記ラジオ放送信号の受信状態を表示する表示手段と、音声を出力する出力手段と、前記音声情報格納手段における音声情報の格納状態に関する表示を行うべき所定状態となった時、前記表示手段の表示を当該格納状態に関する表示に切り替える制御手段と、を備える。
【０００８】
また、請求項２に記載の告知放送用受信機は、請求項１に記載の告知放送用受信機において、前記制御手段は、前記受信手段における前記ラジオ放送信号の受信状態を前記表示手段を介して表示中に前記受信手段が前記告知放送信号を受信した場合に、前記表示手段の表示を、前記受信手段における前記ラジオ放送信号の受信状態を示す表示から前記音声情報格納手段における音声情報の格納状態を示す表示に切り替える。
【０００９】
また、請求項３に記載の告知放送用受信機は、請求項１又は２に記載の告知放送用受信機において、前記音声情報格納手段に格納された音声情報の出力に関する操作入力を受け付ける第１操作手段を備え、前記制御手段は、前記受信手段における前記ラジオ放送信号の受信状態を前記表示手段を介して表示中に前記第１操作手段にて前記音声情報格納手段に格納された音声情報の出力指示を受け付けた場合に、前記表示手段の表示を、前記受信手段における前記ラジオ放送信号の受信状態を示す表示から前記音声情報格納手段における音声情報の格納状態を示す表示に切り替える。
【００１０】
また、請求項４に記載の告知放送用受信機は、請求項３に記載の告知放送用受信機において、前記第１操作手段の近傍に設置された発光手段と、前記ラジオ放送信号に含まれる音声情報の出力に関する操作入力を受け付ける第２操作手段と、を備え、前記制御手段は、前記音声情報格納手段に音声情報が格納されている場合であって、前記第２操作手段にて前記ラジオ放送信号に含まれる音声情報の前記出力手段による出力の停止指示が受け付けられた場合に、前記発光手段を点滅させる。
【００１１】
また、請求項５に記載の告知放送用受信機は、請求項１から４のいずれか一項に記載の告知放送用受信機において、前記ラジオ放送信号に含まれる音声情報の出力に関する操作入力を受け付ける第２操作手段を備え、前記第２操作手段は、前記ラジオ放送信号に含まれる音声情報の出力に関する操作入力を、押下動作に基づいて受け付け、前記制御手段は、前記受信手段にて受信した前記ラジオ放送信号に含まれる音声情報を前記出力手段を介して出力中に前記第２操作手段が所定時間以上押下された場合に、前記ラジオ放送信号に含まれる音声情報の前記出力手段による出力を停止させる。
【００１２】
また、請求項６に記載の告知放送用受信機は、請求項５に記載の告知放送用受信機において、前記第２操作手段にて前記ラジオ放送信号に含まれる音声情報の前記出力手段による出力の停止指示を受け付けた際に、前記受信手段における前記ラジオ放送信号の受信状態を記録する記録手段を備え、前記制御手段は、前記第２操作手段にて前記ラジオ放送信号に含まれる音声情報の出力指示を受け付けた場合に、前記記録手段に記録されている受信状態で前記受信手段に前記ラジオ放送信号を受信させると共に、当該受信状態を前記表示手段に表示させる。
【発明の効果】
【００１３】
請求項１に記載の告知放送用受信機によれば、音声情報格納手段における音声情報の格納状態に関する表示を行うべき所定状態となった時、表示手段の表示を当該格納状態に関する表示に切り替えるので、音声情報格納手段に音声情報が格納されていることをより確実にユーザに伝達することができる。
【００１４】
また、請求項２に記載の告知放送用受信機によれば、受信手段におけるラジオ放送信号の受信状態を表示手段を介して表示中に受信手段が告知放送信号を受信した場合に、表示手段の表示を、受信手段におけるラジオ放送信号の受信状態を示す表示から音声情報格納手段における音声情報の格納状態を示す表示に切り替えるので、例えばラジオを聴いていたユーザに、音声情報格納手段に音声情報が格納されたことをより確実に伝達することができる。
【００１５】
また、請求項３に記載の告知放送用受信機によれば、受信手段におけるラジオ放送信号の受信状態を表示手段を介して表示中に第１操作手段にて音声情報格納手段に格納された音声情報の出力指示を受け付けた場合に、表示手段の表示を、受信手段におけるラジオ放送信号の受信状態を示す表示から音声情報格納手段における音声情報の格納状態を示す表示に切り替えるので、ラジオ放送の出力中に告知放送の再生を行おうとしたユーザに、例えば音声情報格納手段に格納されている音声情報の件数をより確実に伝達することができる。
【００１６】
また、請求項４に記載の告知放送用受信機によれば、音声情報格納手段に音声情報が格納されている場合であって、第２操作手段にてラジオ放送信号に含まれる音声情報の出力手段による出力の停止指示が受け付けられた場合に、発光手段を点滅させるので、第２操作手段を操作したユーザに、音声情報格納手段に音声情報が格納されていることをより確実に伝達することができる。
【００１７】
また、請求項５に記載の告知放送用受信機によれば、受信手段にて受信したラジオ放送信号に含まれる音声情報を出力手段を介して出力中に第２操作手段が所定時間以上押下された場合に、ラジオ放送信号に含まれる音声情報の出力手段による出力を停止させるので、簡易な操作入力によって音声情報の出力を停止させることができる。
【００１８】
また、請求項６に記載の告知放送用受信機によれば、第２操作手段にてラジオ放送信号に含まれる音声情報の出力指示を受け付けた場合に、記録手段に記録されている受信状態で受信手段にラジオ放送信号を受信させると共に、当該受信状態を表示手段に表示させるので、前回出力していた受信状態にて即座にラジオ放送信号を受信させることができる。従って、特定の受信チャンネルのラジオ放送信号を受信手段に受信させることが多い場合、当該受信チャンネルを選択するための操作を省略することができる。
【図面の簡単な説明】
【００１９】
【図１】告知放送システムの構成を示すブロック図である。
【図２】設置壁Ｗに固定された告知放送用受信機を示す斜視図である。
【図３】告知放送用受信機を示す図であり、（ａ）は正面図、（ｂ）は背面図、（ｃ）は底面図である。
【図４】告知放送用受信機が実行する処理のフローチャートである。
【図５】図４に続く、告知放送用受信機が実行する処理のフローチャートである。
【図６】告知放送処理のフローチャートである。
【発明を実施するための形態】
【００２０】
以下に添付図面を参照して、この発明に係る告知放送受信機の実施の形態を詳細に説明する。ただし、実施の形態によって本発明が限定されるものではない。
【００２１】
〔実施の形態〕
まず実施の形態について説明する。
【００２２】
（構成）
最初に、本実施の形態に係る告知放送システムの構成を説明する。図１は告知放送システムの構成を示すブロック図である。図１に示すように、告知放送システム１は、センター側に配置されたセンター装置２、各住戸に配置された告知放送用受信機３、及びセンター装置２から送信された信号を告知放送用受信機３に送信する伝送系統９を備えて構成されている。このうち、センター装置２は告知放送信号を送信するものであり、公知のセンター装置と同様に構成することができる。また、伝送系統９は、ヘッドエンド９０、このヘッドエンド９０から各住戸の告知放送用受信機３に至る伝送線路９１、さらに、この伝送線路９１に配置された、アンプ９２、分配増幅器９３、分配器９４、及び保安器９５を備えて構成されている。ヘッドエンド９０は、センター装置２から送信された信号を受信し、この信号をレベル増幅した上で伝送線路９１に送出する増幅送信手段である。伝送線路９１は、告知放送信号を送信する送信線路であり、例えば、ＣＡＴＶ信号を伝送するＣＡＴＶ伝送線路（同軸ケーブル）が用いられる。アンプ９２は、伝送線路９１を流れる信号を増幅する増幅手段である。分配増幅器９３は、信号を増幅した上で、各住戸に向けて分配する分配増幅手段である。分配器９４は、分配増幅器９３にて増幅された信号を各住戸に向けて分配する分配手段である。保安器９５は、各住戸に設けられ、伝送線路９１に乗って受信機に至る直流成分を制御する。なお、特記する構成を除き、センター装置２、告知放送用受信機３、及び伝送系統９は、公知の装置又はシステムと同様に構成することができる。
【００２３】
（構成−告知放送用受信機）
次に、告知放送用受信機３の電気的構成について説明する。図１に示したように、告知放送用受信機３は、受信部３０、告知再生スイッチ３１、ラジオ再生スイッチ３２、音声切換え部３３、音量調整部３４、アンプ３５、スピーカ３６、表示部３７、制御部３８、音声情報格納部３９、及び受信状態記録部４０を備えている。
【００２４】
受信部３０は、センター装置２から送信された告知放送信号を復調する告知放送復調手段であり、告知放送信号に含まれる音声情報を音声切換え部３３に出力すると共に、告知放送信号に含まれる制御情報（例えば告知放送が緊急放送又は一般放送の何れかを特定する情報等）を制御部３８に出力する。また、受信部３０は、後述するアンテナを介してラジオ放送信号を受信し、当該ラジオ放送信号に含まれる音声情報を音声切換え部３３に出力する。
【００２５】
告知再生スイッチ３１は、音声情報格納部３９に格納された音声情報の出力に関する操作入力を受け付ける第１操作手段である。この告知再生スイッチ３１は、例えば押しボタン型のスイッチを用いて構成される。例えば、音声情報格納部３９に格納された音声情報の出力がされていない場合に告知再生スイッチ３１が押下されると、当該操作を音声情報格納部３９に格納された音声情報の出力指示として受け付ける。また、音声情報格納部３９に格納された音声情報の出力がされている場合に告知再生スイッチ３１が押下されると、当該操作を音声情報格納部３９に格納された音声情報の出力の停止指示として受け付ける。
【００２６】
ラジオ再生スイッチ３２は、ラジオ放送信号に含まれる音声情報の出力に関する操作入力を受け付ける第２操作手段である。このラジオ再生スイッチ３２は、告知再生スイッチ３１と同様に、例えば押しボタン型のスイッチを用いて構成される。例えば、ラジオ放送信号に含まれる音声情報の出力がされていない場合にラジオ再生スイッチ３２が押下されると、当該操作をラジオ放送信号に含まれる音声情報の出力指示として受け付ける。また、ラジオ放送信号に含まれる音声情報の出力がされている場合にラジオ再生スイッチ３２が１回押下されると、当該操作を、予め設定されているラジオ放送信号の受信チャンネルを一つずらす変更指示として受け付ける。また、ラジオ放送信号に含まれる音声情報の出力がされている場合にラジオ再生スイッチ３２が所定時間以上押下されると、当該操作をラジオ放送信号に含まれる音声情報の出力の停止指示として受け付ける。
【００２７】
音声切換え部３３は、受信部３０から出力された音声情報を音量調整部３４又は音声情報格納部３９に出力し、あるいは、音声情報格納部３９から出力された音声情報を音量調整部３４に出力する音声切換え手段である。
【００２８】
音量調整部３４は、音声切換え部３３から出力された音声情報の音量を調整してアンプ３５に出力する。この音声情報は、アンプ３５にて増幅された後、スピーカ３６から出力される。このスピーカ３６は、音声を出力する出力手段である。
【００２９】
表示部３７は、告知放送用受信機３に関する情報を表示するためのものであり、電源表示灯３７ａ、緊急放送表示灯３７ｂ、一般放送表示灯３７ｃ、状態表示部３７ｄ、告知再生表示灯３７ｅ、及びラジオ再生表示灯３７ｆを備えている。このうち、電源表示灯３７ａは告知放送用受信機３の電源ＯＮ時に点灯する。また、緊急放送表示灯３７ｂは緊急放送時に点灯又は点滅する。また、一般放送表示灯３７ｃは一般放送時に点灯又は点滅する。また、状態表示部３７ｄは、音声情報格納部３９における音声情報の格納状態、又は受信部３０におけるラジオ放送信号の受信状態を表示する表示手段であり、例えば公知の７セグメントディスプレイを用いることができる。また、告知再生表示灯３７ｅ及びラジオ再生表示灯３７ｆは、制御部３８の制御に基づき発行する発光手段であり、例えばＬＥＤ（Ｌｉｇｈｔ  Ｅｍｉｔｔｉｎｇ  Ｄｉｏｄｅ）を用いて構成される。
【００３０】
制御部３８は、告知放送用受信機３の各部を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。この制御部３８によって実行される処理の詳細については後述する。
【００３１】
音声情報格納部３９は、受信部３０が受信した告知放送信号に含まれる音声情報を格納する音声情報格納手段である。この音声情報格納手段に格納される音声情報には、例えば当該音声情報を含む告知放送信号を受信部３０が受信した日時を特定する受信日時情報や、音声情報格納手段に格納された後に当該音声情報が再生されたか否かを特定する再生情報が、例えばヘッダ情報として付加される。受信状態記録部４０は、受信部３０におけるラジオ放送信号の受信状態（例えばラジオ放送信号の受信チャンネル）を記録する記録手段である。これらの音声情報格納部３９及び受信状態記録部４０は、書き換え可能な記録媒体を用いて構成され、例えば、フラッシュメモリ等の不揮発性記録媒体を用いることができる。
【００３２】
続いて、告知放送用受信機３の基本構成について説明する。図２は設置壁Ｗに固定された告知放送用受信機３を示す斜視図である。図３は、告知放送用受信機３を示す図であり、（ａ）は正面図、（ｂ）は背面図、（ｃ）は底面図である。これら図２及び図３（ａ）〜（ｃ）に示すように、告知放送用受信機３は、筐体４１の内部に図示しない各種の電子部品等を収容して構成されている。この筐体４１は、正面カバー４１ａと背面カバー４１ｂとを組み合わされて構成されている。正面カバー４１ａと背面カバー４１ｂの接続方法は任意であるが、例えば、正面カバー４１ａと背面カバー４１ｂは嵌合やネジ留めにて接続することができる。
【００３３】
この筐体４１の正面には、上述した告知再生スイッチ３１、ラジオ再生スイッチ３２、及び表示部３７の他、ボリュームスイッチ３４ａが設けられている。ボリュームスイッチ３４ａは、放送音量を調節するためのものである。また、筐体４１の内部においては、告知再生スイッチ３１の近傍には告知再生表示灯３７ｅが設置され、ラジオ再生スイッチ３２の近傍にはラジオ再生表示灯３７ｆが設置されている。告知再生スイッチ３１やラジオ再生スイッチ３２を光を透過する材料を用いて形成したり、告知再生スイッチ３１やラジオ再生スイッチ３２に光を透過させる透過孔を設けることにより、告知再生表示灯３７ｅやラジオ再生表示灯３７ｆから発せられた光を筐体４１の外部に透過させることができる。また、筐体４１の正面には、筐体４１の内部に設けたスピーカ３６から出力された音を、当該筐体４１の外部に放出するための音響孔４２が設けられている。
【００３４】
また、図３（ｂ）に示すように、筐体４１の背面において、この告知放送用受信機３に対しては、告知放送信号を告知放送用受信機３に入力するための同軸ケーブル４３が接続される。この同軸ケーブル４３は、筐体４１の上側に形成された収容空間部４４にコネクタ部分が収容されると共に、筐体４１の右側に形成された収容空間部４５にケーブル部分が収容されることで、筐体４１の外部に突出することが防止されている。また、筐体４１の背面において、告知放送用受信機３に対しては、商用電源からの電力を告知放送用受信機３に供給するための電源コード４６が接続される。この電源コード４６は、筐体４１の左下側に形成された収容空間部４７にコネクタ部分及びケーブル部分が収容されることで、筐体４１の外部に突出することが防止されている。
【００３５】
また、図３（ｂ）に示すように、筐体４１の背面において、告知放送用受信機３に対しては、各種の移報用の信号を出力するための移報用ケーブル４８が接続される。この移報用ケーブル４８は、筐体４１の左上側に形成された収容空間部４９にコネクタ部分が収容されている。また、移報用ケーブル４８のケーブル部分は、筐体４１の上下中央付近に筐体４１の幅方向に沿って形成されたガイド部５０を通って、収容空間部４５に収容されている。このような構造により、移報用ケーブル４８が筐体４１の外部に突出することが防止されている。なお、これら同軸ケーブル４３、電源コード４６、及び移報用ケーブル４８は、図３（ｂ）以外では図示を省略する。
【００３６】
ガイド部５０は、小径部５０ａ、中径部５０ｂ、及び大径部５０ｃを有する。小径部５０ａは、筐体４１の図示左側に設けられたものであって、少なくとも移報用ケーブル４８を挿通可能な径で形成された開口である。中径部５０ｂは、筐体４１の図示右側に設けられたものであって、少なくとも同軸ケーブル４３を挿通可能な径で形成された開口である。大径部５０ｃは、小径部５０ａと中径部５０ｂとの相互間に設けられたものであって、中径部５０ｂよりも大きな径を有する開口である。このようなガイド部５０を設けたことで、筐体４１の図示右側と図示左側との間で、各種の配線を取り回すことが可能になる。ここでは、上述したように、移報用ケーブル４８をガイド部５０を介して収容空間部４５へ取り回している。また、このようなガイド部５０を設けたことで、筐体４１の図示右側から中央にかけて、あるいは図示左側から中央にかけて、各種の配線を取り回し、大径部５０ｃから筐体４１の外部に引き出すことが可能となる。例えば、移報用ケーブル４８を小径部５０ａ及び大径部５０ｃを介して筐体４１の外部に引き出すことができ、又は同軸ケーブル４３を中径部５０ｂ及び大径部５０ｃを介して筐体４１の外部に引き出すことができる。なお、ガイド部５０は、移報用ケーブル４８又は同軸ケーブル４３を収容するだけでなく、電源コード４６も収容できるようにしてもよい。この場合には、ガイド部５０は、収容空間部４７と連通させて構成する。
【００３７】
また、図３（ａ）、（ｂ）に示すように、筐体４１の左側面には、ＦＭラジオ等の電波を受信するためのアンテナ５１が設けられている。従って、告知放送がセンター装置２から受信できない状況であっても、アンテナ５１にてＦＭラジオ等を受信することができる。
【００３８】
また、図３（ｂ）、（ｃ）に示すように、筐体４１の背面には複数の係止穴５２ａ、５２ｂが形成されており、筐体４１の底面には複数の係止穴５２ｃ、５２ｄが形成されている。これら係止穴５２ａ〜５２ｄは、筐体４１を壁面Ｗに固定するための固定板の係止突起（図示省略）を係脱自在に係止するための貫通穴である。係止穴５２ａ、５２ｂは、筐体４１の重心位置を中心として、上下に対称となる複数箇所に方形状に形成されている。係止穴５２ｃ、５２ｄは、筐体４１の左右中央位置を中心として、左右対称となる複数箇所に方形状に形成されている。
【００３９】
また、図３（ａ）に示すように、筐体４１には、図示しない電池を収容するための空間部である電池収容部５３と、この電池収容部５３を開閉自在に覆う電池カバー５３ａが設けられている。このように電池カバー５３ａを筐体４１の正面に設けることで、電池カバー５３ａの着脱や電池交換を容易に行うことができる。
【００４０】
（処理）
次に、このように構成される告知放送用受信機３が実行する処理について説明する。図４及び図５は告知放送用受信機３が実行する処理のフローチャートである（以下の各処理の説明ではステップを「Ｓ」と略記する）。この処理は、例えば告知放送用受信機３の電源が投入された場合に起動される。
【００４１】
図４に示すように、処理が起動されると、制御部３８は音声情報格納部３９に音声情報が格納されているか否かを判定する（ＳＡ１）。その結果、音声情報が格納されていると判定した場合（ＳＡ１、Ｙｅｓ）、制御部３８は告知再生表示灯３７ｅを点灯させる（ＳＡ２）。さらに制御部３８は、音声情報格納部３９における音声情報の格納状態を状態表示部３７ｄに表示させる（ＳＡ３）。例えば、音声情報格納部３９に格納されている各音声情報にヘッダ情報として付加されている再生情報を参照し、未だ再生されていない音声情報の件数を状態表示部３７ｄに表示させる。
【００４２】
ＳＡ３の処理の後、又はＳＡ１において音声情報格納部３９に音声情報が格納されていないと判定した場合（ＳＡ１、Ｎｏ）、制御部３８は受信部３０にて告知放送信号が受信されたか否かを判定する（ＳＡ４）。その結果、告知放送信号が受信されたと判定した場合（ＳＡ４、Ｙｅｓ）、制御部３８は告知放送処理を実行する（ＳＡ５）。
【００４３】
ここで、告知放送処理について説明する。図６は、告知放送処理のフローチャートである。図６に示すように、告知放送処理が起動されると、保安器９５を介して告知放送用受信機３に入力された告知放送信号が受信部３０にて復調され（ＳＢ１）、当該告知放送信号に含まれる放送コマンドが制御部３８に入力されると共に、音声情報が音声切換え部３３を介して音量調整部３４及び音声情報格納部３９に出力される。続いて制御部３８は、放送コマンドを解析することによって、当該告知放送信号が、緊急放送か否かを判定する（ＳＢ２）。
【００４４】
その結果、告知放送信号が緊急放送である場合（ＳＢ２、Ｙｅｓ）、制御部３８は、緊急放送表示灯３７ｂを点灯又は点滅させると共に、音量調整部３４を制御することで、緊急放送用の所定の大音量で音声情報を出力させる（ＳＢ３）。
【００４５】
一方、告知放送信号が緊急放送ではない場合（一般放送である場合）（ＳＢ２、Ｎｏ）、制御部３８は、一般放送表示灯３７ｃを点灯又は点滅させると共に、音量調整部３４を制御することで、ボリュームスイッチ３４ａにて設定されている音量で音声情報を出力させる（ＳＢ４）。
【００４６】
ＳＢ３又はＳＢ４の処理の後、制御部３８は、音声情報を音声情報格納部３９に格納する（ＳＢ５）。この時、当該音声情報を含む告知放送信号が受信部３０によって受信された日時を特定する受信日時情報や、当該音声情報が未再生である旨を示す再生情報を、ヘッダ情報として音声情報に付加する。その後、告知放送処理を終了し、メインルーチンに戻る。
【００４７】
図４に戻り、ＳＡ５で告知放送処理を実行した後、制御部３８はＳＡ２に戻り、告知再生表示灯３７ｅを点灯させる（ＳＡ２）。
【００４８】
ＳＡ４で告知放送信号が受信されていない判定した場合（ＳＡ４、Ｎｏ）、制御部３８は、告知再生スイッチ３１にて音声情報格納部３９に格納された音声情報の出力指示を受け付けたか否かを判定する（ＳＡ６）。例えば告知再生スイッチ３１が押下された場合、音声情報格納部３９に格納された音声情報の出力指示を受け付けたと判定する。
【００４９】
その結果、音声情報格納部３９に格納された音声情報の出力指示を受け付けたと判定した場合（ＳＡ６、Ｙｅｓ）、制御部３８は音声情報格納部３９に格納されている音声情報を音声切換え部３３を介して音量調整部３４に出力し、ボリュームスイッチ３４ａにて設定されている音量でスピーカ３６から出力させる（ＳＡ７）。例えば、制御部３８は音声情報にヘッダ情報として付加されている受信日時情報及び再生情報を参照し、まだ再生されていない音声情報のうち最も新しい音声情報をスピーカ３６から出力させると共に、当該音声情報に付加されている再生情報を、当該音声情報が再生済みである旨を示す情報に更新する。また、音声情報にヘッダ情報として付加されている受信日時情報を合わせて出力してもよい。例えば、「２００９年４月１０日１３時２５分に録音された告知放送です。〜〜（以下、告知放送としての音声情報）〜〜」のような音声を出力する。ＳＡ７の処理の後、制御部３８はＳＡ１に戻り、音声情報格納部３９に音声情報が格納されているか否かを判定する（ＳＡ１）。
【００５０】
一方、ＳＡ６において、告知再生スイッチ３１にて音声情報格納部３９に格納された音声情報の出力指示を受け付けていないと判定した場合（ＳＡ６、Ｎｏ）、制御部３８はラジオ再生スイッチ３２にてラジオ放送信号に含まれる音声情報の出力指示を受け付けたか否かを判定する（ＳＡ８）。例えばラジオ再生スイッチ３２が押下された場合、ラジオ放送信号に含まれる音声情報の出力指示を受け付けたと判定する。
【００５１】
その結果、ラジオ放送信号に含まれる音声情報の出力指示を受け付けていないと判定した場合（ＳＡ８、Ｎｏ）、制御部３８はＳＡ４に戻り、受信部３０にて告知放送信号が受信されたか否かを判定する（ＳＡ４）。
【００５２】
一方、ラジオ放送信号に含まれる音声情報の出力指示を受け付けたと判定した場合（ＳＡ８、Ｙｅｓ）、制御部３８は、受信状態記録部４０に記録されている受信状態としての受信チャンネルを読み出し（ＳＡ９）、当該受信チャンネルにて受信部３０にラジオ放送信号を受信させ、当該ラジオ放送信号を復調させる。図５に進み、制御部３８は、復調されたラジオ放送信号に含まれる音声情報を音声切換え部３３を介して音量調整部３４に出力し、ボリュームスイッチ３４ａにて設定されている音量でスピーカ３６から出力させる（ＳＡ１０）。さらに、制御部３８は、受信部３０にラジオ放送信号を受信させている受信チャンネルを状態表示部３７ｄに表示させると共に、ラジオ再生表示灯３７ｆを点灯させる（ＳＡ１１）。
【００５３】
このように、ラジオ放送信号に含まれる音声情報をスピーカ３６を介して出力し、受信部３０におけるラジオ放送信号の受信チャンネルを状態表示部３７ｄを介して表示している状態において、制御部３８は受信部３０にて告知放送信号が受信されたか否かを判定する（ＳＡ１２）。その結果、告知放送信号が受信されたと判定した場合（ＳＡ１２、Ｙｅｓ）、制御部３８は告知放送処理を実行する（ＳＡ１３）。告知放送処理の実行後、制御部３８は、状態表示部３７ｄの表示を、受信部３０におけるラジオ放送信号の受信チャンネルを示す表示から、音声情報格納部３９における音声情報の格納状態を示す表示に切り替える（ＳＡ１４）。例えば、ＳＡ３と同様に、音声情報格納部３９に格納されている各音声情報にヘッダ情報として付加されている再生情報を参照し、未だ再生されていない音声情報の件数を状態表示部３７ｄに表示させる。その後、制御部３８は、一定時間が経過しない間（ＳＡ１５、Ｎｏ）は待機し、一定時間が経過した場合（ＳＡ１５、Ｙｅｓ）、図４のＳＡ９に戻り、受信状態記録部４０に記録されている受信状態としての受信チャンネルを読み出す（ＳＡ９）。
【００５４】
図５に戻り、ＳＡ１２において、受信部３０にて告知放送信号が受信されていないと判定した場合（ＳＡ１２、Ｎｏ）、制御部３８は、告知再生スイッチ３１にて音声情報格納部３９に格納された音声情報の出力指示を受け付けたか否かを判定する（ＳＡ１６）。その結果、音声情報格納部３９に格納された音声情報の出力指示を受け付けたと判定した場合（ＳＡ１６、Ｙｅｓ）、制御部３８は音声情報格納部３９に格納されている音声情報を音声切換え部３３を介して音量調整部３４に出力し、ボリュームスイッチ３４ａにて設定されている音量でスピーカ３６から出力させる（ＳＡ１７）。例えば、ＳＡ７と同様に、制御部３８は音声情報にヘッダ情報として付加されている受信日時情報及び再生情報を参照し、まだ再生されていない音声情報のうち最も新しい音声情報をスピーカ３６から出力させると共に、当該音声情報に付加されている再生情報を、当該音声情報が再生済みである旨を示す情報に更新する。続いて、制御部３８は、状態表示部３７ｄの表示を、受信部３０におけるラジオ放送信号の受信チャンネルを示す表示から、音声情報格納部３９における音声情報の格納状態を示す表示に切り替える（ＳＡ１８）。その後、制御部３８は、一定時間が経過しない間（ＳＡ１９、Ｎｏ）は待機し、一定時間が経過した場合（ＳＡ１９、Ｙｅｓ）、図４のＳＡ９に戻り、受信状態記録部４０に記録されている受信状態としての受信チャンネルを読み出す（ＳＡ９）。
【００５５】
図５に戻り、ＳＡ１６において、音声情報格納部３９に格納された音声情報の出力指示を受け付けていないと判定した場合（ＳＡ１６、Ｎｏ）、制御部３８は、ラジオ再生スイッチ３２が押下されたか否かを判定する（ＳＡ２０）。その結果、ラジオ再生スイッチ３２が押下されたと判定した場合（ＳＡ２０、Ｙｅｓ）、制御部３８は、受信部３０が現在受信しているラジオ放送信号の受信チャンネルが、予め設定されている複数の受信チャンネルのうちの最終チャンネル（例えば、１チャンネルから５チャンネルまでの５つの受信チャンネルが設定されている場合の５チャンネル）であるか否かを判定する（ＳＡ２１）。
【００５６】
その結果、現在受信しているラジオ放送信号の受信チャンネルが最終チャンネルでないと判定した場合（ＳＡ２１、Ｎｏ）、制御部３８はラジオ放送信号の受信チャンネルを一つずらす変更指示を受け付けたものとし、現在の受信チャンネルを一段階変更した受信チャンネル（例えば、現在の受信チャンネルが３チャンネルの場合は４チャンネル）にて受信部３０にラジオ放送信号を受信させ（ＳＡ２２）、当該ラジオ放送信号を復調させる。その後、ＳＡ１０に戻り、制御部３８は、復調されたラジオ放送信号に含まれる音声情報を音声切換え部３３を介して音量調整部３４に出力し、ボリュームスイッチ３４ａにて設定されている音量でスピーカ３６から出力させる（ＳＡ１０）。
【００５７】
また、ＳＡ２０において、ラジオ再生スイッチ３２が押下されていないと判定した場合（ＳＡ２０、Ｎｏ）、制御部３８は、ラジオ再生スイッチ３２にてラジオ放送信号に含まれる音声情報の出力の停止指示を受け付けたか否かを判定する（ＳＡ２３）。例えば、ラジオ再生スイッチ３２が所定時間以上押下された場合に、ラジオ再生スイッチ３２にてラジオ放送信号に含まれる音声情報の出力の停止指示を受け付けたと判定する。
【００５８】
その結果、ラジオ放送信号に含まれる音声情報の出力の停止指示を受け付けていないと判定した場合（ＳＡ２３、Ｎｏ）、ＳＡ１２に戻り、制御部３８は受信部３０にて告知放送信号が受信されたか否かを判定する（ＳＡ１２）。
【００５９】
一方、ラジオ放送信号に含まれる音声情報の出力の停止指示を受け付けたと判定した場合（ＳＡ２３、Ｙｅｓ）、又はＳＡ２１において現在受信しているラジオ放送信号の受信チャンネルが最終チャンネルであると判定した場合（ＳＡ２１、Ｙｅｓ）、制御部３８は、受信部３０におけるラジオ放送信号の受信状態としての受信チャンネルを受信状態記録部４０に記録させると共に、受信部３０によるラジオ放送信号の受信を停止させる（ＳＡ２４）。続いて、制御部３８は音声情報格納部３９に音声情報が格納されているか否かを判定する（ＳＡ２５）。その結果、音声情報が格納されていると判定した場合（ＳＡ２５、Ｙｅｓ）、制御部３８は音声情報にヘッダ情報として付加されている受信日時情報及び再生情報を参照し、まだ再生されていない音声情報のうち最も新しい音声情報を音声切換え部３３を介して音量調整部３４に出力し、ボリュームスイッチ３４ａにて設定されている音量でスピーカ３６から出力させる（ＳＡ２６）。あるいは、音声情報格納部３９に格納されている音声情報を出力することに代えて、音声情報格納部３９に音声情報が格納されている旨の音声（例えば、「〜件の告知放送が録音されています。」等）をスピーカ３６を介して出力させてもよい。このようにＳＡ２６の処理を行うと共に、制御部３８は告知再生表示灯３７ｅを点滅させる（ＳＡ２７）。
【００６０】
ＳＡ２５で音声情報格納部３９に音声情報が格納されていないと判定した場合（ＳＡ２５、Ｎｏ）、又はＳＡ２７の処理の後、図４のＳＡ１に戻り、制御部３８は音声情報格納部３９に音声情報が格納されているか否かを判定する（ＳＡ１）。
【００６１】
（効果）
このように実施の形態によれば、音声情報格納部３９における音声情報の格納状態に関する表示を行うべき所定状態となった時、状態表示部３７ｄの表示を当該格納状態に関する表示に切り替えるので、音声情報格納部３９に音声情報が格納されていることをより確実にユーザに伝達することができる。
【００６２】
また、受信部３０におけるラジオ放送信号の受信状態を状態表示部３７ｄを介して表示中に受信部３０が告知放送信号を受信した場合に、状態表示部３７ｄの表示を、受信部３０におけるラジオ放送信号の受信状態を示す表示から音声情報格納部３９における音声情報の格納状態を示す表示に切り替えるので、例えばラジオを聴いていたユーザに、音声情報格納部３９に音声情報が格納されたことをより確実に伝達することができる。
【００６３】
また、受信部３０におけるラジオ放送信号の受信状態を状態表示部３７ｄを介して表示中に告知再生スイッチ３１にて音声情報格納部３９に格納された音声情報の出力指示を受け付けた場合に、状態表示部３７ｄの表示を、受信部３０におけるラジオ放送信号の受信状態を示す表示から音声情報格納部３９における音声情報の格納状態を示す表示に切り替えるので、ラジオ放送の出力中に告知放送の再生を行おうとしたユーザに、例えば音声情報格納部３９に格納されている音声情報の件数をより確実に伝達することができる。
【００６４】
また、音声情報格納部３９に音声情報が格納されている場合であって、ラジオ再生スイッチ３２にてラジオ放送信号に含まれる音声情報のスピーカ３６による出力の停止指示が受け付けられた場合に、告知再生表示灯３７ｅを点滅させるので、ラジオ再生スイッチ３２を操作したユーザに、音声情報格納部３９に音声情報が格納されていることをより確実に伝達することができる。
【００６５】
また、受信部３０にて受信したラジオ放送信号に含まれる音声情報をスピーカ３６を介して出力中にラジオ再生スイッチ３２が所定時間以上押下された場合に、ラジオ放送信号に含まれる音声情報のスピーカ３６による出力を停止させるので、簡易な操作入力によって音声情報の出力を停止させることができる。
【００６６】
また、ラジオ再生スイッチ３２にてラジオ放送信号に含まれる音声情報の出力指示を受け付けた場合に、受信状態記録部４０に記録されている受信状態で受信部３０にラジオ放送信号を受信させると共に、当該受信状態を状態表示部３７ｄに表示させるので、前回出力していた受信状態にて即座にラジオ放送信号を受信させることができる。従って、特定の受信チャンネルのラジオ放送信号を受信部３０に受信させることが多い場合、当該受信チャンネルを選択するための操作を省略することができる。
【００６７】
また、音声情報格納部３９に音声情報が格納されている場合であって、ラジオ再生スイッチ３２にてラジオ放送信号に含まれる音声情報のスピーカ３６による出力の停止指示が受け付けられた場合に、音声情報格納部３９に格納されている音声情報に基づきスピーカ３６を介した出力を行うので、ラジオ再生スイッチ３２を操作したユーザに、音声情報格納部３９に格納されている音声情報に基づく情報を伝達することができる。
【００６８】
特に、ラジオ再生スイッチ３２にてラジオ放送信号に含まれる音声情報のスピーカ３６による出力の停止指示が受け付けられた場合に、音声情報格納部３９に格納されている音声情報をスピーカ３６を介して出力させるので、ラジオ再生スイッチ３２を操作したユーザに、音声情報格納部３９に格納されている音声情報の内容を確認させることができる。
【００６９】
あるいは、ラジオ再生スイッチ３２にてラジオ放送信号に含まれる音声情報のスピーカ３６による出力の停止指示が受け付けられた場合に、音声情報格納部３９に音声情報が格納されている旨の音声をスピーカ３６を介して出力させるので、ラジオ再生スイッチ３２を操作したユーザに、音声情報格納部３９に音声情報が格納されていることをより確実に伝達することができる。
【００７０】
また、ラジオ放送信号に含まれる音声情報をスピーカ３６を介して出力中に受信部３０が告知放送信号を受信した場合に、当該受信した告知放送信号に含まれる音声情報をスピーカ３６を介して出力させるので、例えばラジオを聴いていたユーザに、告知放送の内容をより確実に確認させることができる。
【００７１】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００７２】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００７３】
（分散や統合について）
また、上述した各電気的構成要素は機能概念的なものであり、必ずしも物理的に図示の如く構成されていることを要しない。すなわち、各部の分散・統合の具体的形態は図示のものに限られず、その全部または一部を、各種の負荷や使用状況などに応じて、任意の単位で機能的または物理的に分散・統合して構成できる。
【符号の説明】
【００７４】
１  告知放送システム
２  センター装置
３  告知放送用受信機
９  伝送系統
３０  受信部
３１  告知再生スイッチ
３２  ラジオ再生スイッチ
３３  音声切換え部
３４  音量調整部
３４ａ  ボリュームスイッチ
３５、９２  アンプ
３６  スピーカ
３７  表示部
３７ａ  電源表示灯
３７ｂ  緊急放送表示灯
３７ｃ  一般放送表示灯
３７ｄ  状態表示部
３７ｅ  告知再生表示灯
３７ｆ  ラジオ再生表示灯
３８  制御部
３９  音声情報格納部
４０  受信状態記録部
４１  筐体
４１ａ  正面カバー
４１ｂ  背面カバー
４２  音響孔
４３  同軸ケーブル
４４、４５、４７、４９  収容空間部
４６  電源コード
４８  移報用ケーブル
５０  ガイド部
５０ａ  小径部
５０ｂ  中径部
５０ｃ  大径部
５１  アンテナ
５２ａ、５２ｂ、５２ｃ、５２ｄ  係止穴
５３  電池収容部
５３ａ  電池カバー
９０  ヘッドエンド
９１  伝送線路
９３  分配増幅器
９４  分配器
９５  保安器
【図１】
2010258853.tif 000003
【図２】
2010258853.tif 000004
【図３】
2010258853.tif 000005
【図４】
2010258853.tif 000006
【図５】
2010258853.tif 000007
【図６】
2010258853.tif 000008